(57)【特許請求の範囲】
【請求項１】
（Ａ）成分として脱墨剤成分と、（Ｂ）成分としてアセチレンアルコール及び／又はアセチレンアルコールのアルキレンオキシド付加体とを含む脱墨剤組成物であって、（Ｂ）成分を１〜１０重量％含有することを特徴とする脱墨剤組成物。
【請求項２】
脱墨剤成分が、高級アルコールアルキレンオキシド付加体及び／又は高級アルコールアルキレンオキシド付加体の脂肪酸エステルである請求項１記載の脱墨剤組成物。
【請求項３】
脱墨剤成分が、脂肪酸のアルキレンオキシド付加体及び／又は脂肪酸のアルキレンオキシド付加体のエステルである請求項１記載の脱墨剤組成物。
【請求項４】
脱墨剤成分として、更にヒドロキシ脂肪酸及び／又はヒドロキシ脂肪酸の水酸基にアルキレンオキシドが付加重合したポリオキシアルキレンエーテル脂肪酸を含む請求項２又は３記載の脱墨剤組成物。
【発明の詳細な説明】
【０００１】
【発明の属する技術分野】
本発明は脱墨剤組成物に関する。
【０００２】
【従来の技術及び発明が解決しようとする課題】
新聞、雑誌等として利用された古紙からインキ成分を剥離して再生利用することは従来から行われているが、森林資源の保護や、ゴミ処理によって生じる環境汚染防止等の観点から、近年、古紙の再生利用は一段と活発化している。
【０００３】
古紙の再生工程は、古紙をパルプとインキ成分とに分離する分離工程、分離したインキ成分が再びパルプに付着しないように除去する除去工程とからなっている。分離工程は、古紙を脱墨剤組成物とともにパルパーに仕込んで、６０〜７０℃で加熱処理し、古紙からインキ成分を剥離して水中に分散させる工程である。またインク成分の除去工程では、通常、分離工程において古紙から剥離したインキ成分が分散した水中に空気を吹き込み、水中に分散しているインキ成分を気泡に吸着させて浮上させて系外に除去するフローテーション処理法が採用されている。
【０００４】
古紙再生の分離工程において、古紙からインキ成分を剥離するための脱墨剤組成物としては、アルカリ金属水酸化物等のアルカリ類、次亜塩素酸塩等の漂白剤、ＥＤＴＡ等の金属イオン封鎖剤、及び脱墨剤成分としての界面活性剤を含むものが知られている。脱墨剤成分である界面活性剤としては、アルキルベンゼンスルホン酸塩、高級アルコール硫酸エステル塩等の陰イオン系界面活性剤、高級アルコール、アルキルフェノール、脂肪酸、油脂等にアルキレンオキシドを付加した非イオン系界面活性剤が単独又は２種以上混合して用いられていた。
【０００５】
しかしながら、これらの界面活性剤を脱墨剤成分として含有する脱墨剤組成物を用いると、古紙再生工程におけるフローテーション処理時の気泡量が多すぎ、過剰な気泡が設備から横溢して周囲を汚染したり、凝集した多量の気泡へ微小なパルプ繊維が付着して、パルプの歩留まりが低下する等のトラブルを発生する問題があった。また従来の脱墨剤組成物は、古紙からのインキ成分の剥離性も充分とは言えず、しかも剥離したインキ成分を捕集させる力も不十分なため、一旦剥離したインキ成分の再付着が生じやすく、この結果、残インキ数の少ない白色度の高い再生パルプを得ることが困難であった。
【０００６】
フローテーション処理時の起泡量を抑制してパルプの歩留まりを高めるために、脱墨剤成分として用いる界面活性剤として、アルキレンオキシドを付加すべきヒドロキシ化合物として特定のものを用いたり、特定のアルキレンオキシドを特定の割合で付加させる等によって得た界面活性剤を用いたり、或いは特定の界面活性剤を組み合わせて用いる等の方法が種々検討されている（例えば、特開昭６０−２３９５８５号、特開平４−３０８２９０号、特公平６−４９４６号、特公平６−４９４７号等）。しかしながら、脱墨剤成分として用いる界面活性剤の種類を工夫したり、特定の界面活性剤を組み合わせて用いるだけでは、フローテーション処理時の起泡量を低減化し、得られる再生パルプの白色度を高めることは容易なことではなかった。
【０００７】
本発明は上記の点に鑑みなされたもので、フローテーション処理時の起泡量を低減化することができ、残インキ数が少なく、白色度の高い再生パルプを高い歩留まりで得ることができる脱墨剤組成物を提供することを目的とする。
【０００８】
【課題を解決するための手段】
即ち本発明の脱墨剤組成物は、（Ａ）成分として脱墨剤成分と、（Ｂ）成分としてアセチレンアルコール及び／又はアセチレンアルコールのアルキレンオキシド付加体とを含む脱墨剤組成物であって、（Ｂ）成分を１〜１０重量％含有することを特徴とする。本発明の脱墨剤組成物は、高級アルコールアルキレンオキシド付加体及び／又は高級アルコールアルキレンオキシド付加体の脂肪酸エステル、脂肪酸のアルキレンオキシド付加体及び／又は脂肪酸のアルキレンオキシド付加体のエステルであることが好ましい。また上記高級アルコールアルキレンオキシド付加体及び／又は高級アルコールアルキレンオキシド付加体の脂肪酸エステルや脂肪酸のアルキレンオキシド付加体及び／又は脂肪酸のアルキレンオキシド付加体のエステルとともに、ヒドロキシ脂肪酸及び／又はヒドロキシ脂肪酸の水酸基にアルキレンオキシドが付加重合したポリオキシアルキレンエーテル脂肪酸を含むものが好ましい。
【０００９】
【発明の実施の形態】
本発明において、（Ａ）成分の脱墨剤成分としては、従来の脱墨剤組成物において脱墨剤成分として用いられている界面活性剤を使用することができる。例えば、脂肪酸塩、脂肪酸のアルキレングリコールエステル、脂肪酸のアルキレンオキシド付加体、脂肪酸のアルキレンオキシド付加体と脂肪酸のエステル、高級アルコールのアルキレンオキシド付加体、高級アルコールのアルキレンオキシド付加体と脂肪酸のエステル、油脂のアルキレンアルキレンオキシド付加体、油脂のアルキレンアルキレンオキシド付加体と脂肪酸のエステル、グリセリン脂肪酸モノエステル、グリセリン脂肪酸ジエステル、ソルビタン脂肪酸モノエステル、ソルビタン脂肪酸ジエステル、ペンタエリスリトール脂肪酸モノエステル等の多価アルコール脂肪酸部分エステルのアルキレンオキシド付加体やこれらと脂肪酸とのエステル等が挙げられる。これらの化合物は１種又は２種以上混合して用いることができる。
【００１０】
上記界面活性剤のなかでも、脱墨剤成分としては、（１）高級アルコールアルキレンオキシド付加体及び／又は高級アルコールアルキレンオキシド付加体の脂肪酸エステル、（２）脂肪酸のアルキレンオキシド付加体及び／又は脂肪酸のアルキレンオキシド付加体のエステルが好ましい。更に、（３）高級アルコールアルキレンオキシド付加体及び／又は高級アルコールアルキレンオキシド付加体の脂肪酸エステルとともに、ヒドロキシ脂肪酸及び／又はヒドロキシ脂肪酸の水酸基にアルキレンオキシドが付加重合したポリオキシアルキレンエーテル脂肪酸を含むもの、（４）脂肪酸のアルキレンオキシド付加体及び／又は脂肪酸のアルキレンオキシド付加体のエステルとともに、ヒドロキシ脂肪酸及び／又はヒドロキシ脂肪酸の水酸基にアルキレンオキシドが付加重合したポリオキシアルキレンエーテル脂肪酸を含むものも好ましい。
【００１１】
上記ヒドロキシ脂肪酸としては２−ヒドロキシラウリン酸、２−ヒドロキシステアリン酸等の２−ヒドロキシ脂肪酸、３−ヒドロキシラウリン酸、３−ヒドロキシステアリン酸等の３−ヒドロキシ脂肪酸、１０−ヒドロキシカプリン酸、１８−ヒドロキシステアリン酸などのω−ヒドロキシ脂肪酸、９，１０−ジヒドロキシステアリン酸などが挙げられるが、これらのうち炭素数８〜２２のヒドロキシ脂肪酸が好ましい。また高級アルコールのアルキレンオキシド付加体を構成する高級アルコールとしては、例えば、ラウリルアルコール、ステアリルアルコール、オレイルアルコール等の飽和又は不飽和高級アルコールが挙げられるが、炭素数１０〜１８の飽和又は不飽和高級アルコールが好ましい。また高級アルコールのアルキレンオキシド付加体の脂肪酸エステルを構成する脂肪酸としては、ラウリン酸、ステアリン酸、オレイン酸等の飽和又は不飽和脂肪酸等が挙げられるが、炭素数１０〜１８の脂肪酸が好ましい。更に脂肪酸のアルキレンオキシド付加体を構成する脂肪酸としては、ラウリン酸、ステアリン酸、オレイン酸等の飽和又は不飽和脂肪酸等が挙げられるが、炭素数１０〜１８の脂肪酸が好く、脂肪酸のアルキレンオキシド付加体のエステルを構成する脂肪酸としては、ラウリン酸、ステアリン酸、オレイン酸等の飽和又は不飽和脂肪酸が挙げられるが、炭素数１０〜１８の脂肪酸が好ましい。
【００１２】
上記ヒドロキシ脂肪酸のアルキレンオキシド付加体としては、ヒドロキシ脂肪酸１モル当たりアルキレンオキシドが１０〜５０モル付加した物が好ましく、高級アルコールのアルキレンオキシド付加体や、高級アルコールのアルキレンオキシド付加体の脂肪酸エステルとしては、高級アルコール１モル当たりアルキレンオキシドが１０〜２００モル付加したものが好ましく、更に脂肪酸のアルキレンオキシド付加体やそのエステルとしては、脂肪酸１モル当たりアルキレンオキシドが１０〜２００モル付加したものが好ましい。アルキレンオキシドとしては、エチレンオキシド、プロピレンオキシド、ブチレンオキシド等が挙げられ、アルキレンオキシド付加体は、これらのアルキレンオキシドの１種が単独で付加したものでも、２種以上がランダム又はブロック状に付加したものでも良い。
【００１３】
脱墨剤成分が高級アルコールアルキレンオキシド付加体及び／又は高級アルコールアルキレンオキシド付加体の脂肪酸エステルと、ヒドロキシ脂肪酸及び／又はヒドロキシ脂肪酸の水酸基にアルキレンオキシドが付加重合したポリオキシアルキレンエーテル脂肪酸とを含むものである場合、高級アルコールアルキレンオキシド付加体及び／又は高級アルコールアルキレンオキシド付加体の脂肪酸エステル：ヒドロキシ脂肪酸及び／又はヒドロキシ脂肪酸の水酸基にアルキレンオキシドが付加重合したポリオキシアルキレンエーテル脂肪酸＝５０：５０から９５：５（重量比）の割合で含むものが好ましい。また、脂肪酸のアルキレンオキシド付加体及び／又は脂肪酸のアルキレンオキシド付加体のエステルと、ヒドロキシ脂肪酸及び／又はヒドロキシ脂肪酸の水酸基にアルキレンオキシドが付加重合したポリオキシアルキレンエーテル脂肪酸とを含むものの場合、脂肪酸のアルキレンオキシド付加体及び／又は脂肪酸のアルキレンオキシド付加体のエステル：ヒドロキシ脂肪酸及び／又はヒドロキシ脂肪酸の水酸基にアルキレンオキシドが付加重合したポリオキシアルキレンエーテル脂肪酸＝５０：５０〜９５：５(重量比)の割合で含むものが好ましい。
【００１４】
（Ｂ）成分のアセチレンアルコールとしては、例えばプロパギルアルコール、３−ブチン−１−オール、１，４−ブチンジオール、３，６−ジメチル−３，６−オクチンジオール、２，４，７，９−テトラメチル−４，７−デキンジオール等が挙げられるが、このうち特に２，４，７，９−テトラメチル−４，７−デキンジオールが好ましい。またアセチレンアルコールのアルキレンオキシド付加体としては、上記アセチレンアルコールに、エチレンオキシド、プロピレンオキシド、ブチレンオキシド等のアルキレンオキシドを１〜３０モル付加したものが好ましく、特に２，４，７，９−テトラメチル−４，７−デキンジオールのアルキレンオキシド１〜３０モル付加体が好ましい。アセチレンアルコールやアセチレンアルコールのアルキレンオキシド付加体は、２種以上を混合して用いることができる。
【００１５】
本発明の脱墨剤組成物は、上記（Ａ）成分とともに、（Ｂ）成分としてアセチレンアルコール及び／又はアセチレンアルコールのアルキレンオキシド付加体を、脱墨剤組成物中に１〜１０重量％含有する。好ましくは（Ｂ）成分の脱墨剤組成物中における含有率は１〜５重量％である。脱墨剤組成物中における（Ｂ）成分の割合が１重量％未満の場合、浸透力が不十分となってインキの剥離力が不十分となり、１０重量％を超えるとインキ捕集力が不十分となり好ましくない。
【００１６】
本発明の脱墨剤組成物中には、更に従来の脱墨剤組成物に用いられていると同様、アルカリ金属水酸化物等のアルカリ類、次亜塩素酸塩等の漂白剤、ＥＤＴＡ等の金属イオン封鎖剤等を更に配合することができる。
【００１７】
【実施例】
以下、実施例を挙げて本発明を更に詳細に説明する。尚、実施例、比較例において用いた脱墨剤組成物を以下に示す。
【００１８】
脱墨剤組成物Ａ
３，６−ジメチル−３，６−オクチンジオール、とポリオキシエチレン（１０モル）ポリオキシプロピレン（７モル）ラウリルエーテルとの混合物で、３，６−ジメチル−３，６−オクチンジオールの含有率が７量％である組成物。
【００１９】
脱墨剤組成物Ｂ
２，４，７，９−テトラメチル−４，７−デキンジオールとポリオキシエチレン（１０モル）ポリオキシプロピレン（７モル）ラウリルエーテルとの混合物で、２，４，７，９−テトラメチル−４，７−デキンジオールの含有率が３重量％である組成物。
【００２０】
脱墨剤組成物Ｃ
２，４，７，９−テトラメチル−４，７−デキンジオールの酸化エチレン２モル付加体とポリオキシエチレン（１０モル）ポリオキシプロピレン（７モル）ラウリルエステルとの混合物で、２，４，７，９−テトラメチル−４，７−デキンジオールの酸化エチレン２モル付加体の含有率が３重量％である組成物。
【００２１】
脱墨剤組成物Ｄ
２，４，７，９−テトラメチル−４，７−デキンジオールの酸化エチレン４モル付加体とポリオキシエチレン（１０モル）ポリオキシプロピレン（７モル）ラウリルエーテルとの混合物で、２，４，７，９−テトラメチル−４，７−デキンジオールの酸化エチレン４モル付加体の含有率が３重量％である組成物。
【００２２】
脱墨剤組成物Ｅ
２，４，７，９−テトラメチル−４，７−デキンジオールの酸化エチレン８モル付加体とポリオキシエチレン（１０モル）ポリオキシプロピレン（７モル）ラウリルエステルとの混合物で、２，４，７，９−テトラメチル−４，７−デキンジオールの酸化エチレン８モル付加体の含有率が５重量％である組成物。
【００２３】
脱墨剤組成物Ｆ
２，４，７，９−テトラメチル−４，７−デキンジオールの酸化エチレン２モル付加体とポリオキシエチレン（１０モル）ポリオキシプロピレン（７モル）ラウリルエーテルと１２−ヒドロキシステアリン酸の水酸基に酸化エチレンを５モル付加した反応物の混合物で、それぞれの混合比が、２，４，７，９−テトラメチル−４，７−デキンジオールの酸化エチレン２モル付加体：ポリオキシエチレン（１０モル）ポリオキシプロピレン（７モル）ラウリルエーテル：１２−ヒドロキシステアリン酸の水酸基に酸化エチレンを５モル付加した反応物＝３：７０：２７である組成物。
【００２４】
脱墨剤組成物Ｇ
ポリオキシエチレン（１０モル）ポリオキシプロピレン（７モル）ラウリルエーテル
【００２５】
脱墨剤組成物Ｈ
ポリオキシエチレン（１０モル）ポリオキシプロピレン（７モル）ラウリルエーテルとポリオキシエチレン（１０モル）ポリオキシプロピレン（７モル）ラウリルエステルの１：１混合物
【００２６】
実施例１〜６、比較例１〜２
原料古紙（新聞：チラシ＝７：３）１００ｇを２ｃｍ×５ｃｍに裁断して卓上解離機に入れ、更に水２０００ｇ、水酸化ナトリウム１ｇ、３５度ケイ酸ナトリウム３ｇ、３０％過酸化水素水２．５ｇ、及び脱墨剤組成物０．２ｇを加え、５０℃で１０分間解離し、同温度で６０分間静置した後、更に５分間解離した。次にパルプの濃度が１％となるように水を加えて希釈し、フローテーターにて３０℃で１０分間フローテーション処理を行った後、ダッピースタンダードシート機によって手抄きして再生紙を得た。フローテーション処理時の泡量、得られた再生紙の白度、残存カーボン量を測定した。結果を表１に示す。
【００２７】
【表１】
0003824214.tif 000002
【００２８】
尚、フローテーション処理時の泡量、再生紙の白度、残存カーボン量は以下のようにして測定した。
１．フローテーション処理時の泡量
パルプスラリー重量に対する排出されたフロス重量の比（排出率）で表した。即ち、
排出率（％）＝排出されたフロスの重量÷パルプスラリー重量
である。
２．再生紙の白度
ＪＩＳ  Ｐ８１２３法に順じ、フォルボルト白色度試験機によりハンター白度を測定した。
３．残存カーボン量
残存カーボン量は、画像解析装置よって再生紙の任意の１００ｍｍ×１００ｍｍの範囲を１００倍に拡大して、この面積内のカーボンの総面積を測定した。再生紙１０枚を測定した結果の算術平均値を示した。
【００２９】
【発明の効果】
以上説明したように本発明の脱墨剤組成物は、古紙再生工程における離解時のインキ剥離性、インキ捕集性に優れ、フローテーション工程での泡トラブル発生の恐れが少なく、残存インキ量の少ない、白色度の高い高品質の再生紙を得ることができる。